(57)【特許請求の範囲】
【請求項１】
映像の基本単位毎に放送方式に対応したトラック数Ｎを有し、トラック数Ｎ毎にデューティの異なるコントロール信号が記録された磁気テープから映像信号を再生したり、又は放送方式に対応して映像信号と前記コントロール信号とを前記磁気テープに記録する情報記録再生装置であって、
前記磁気テープを長手方向に移送するキャプスタンと、
前記キャプスタンの回転数に比例したＦＧ信号を出力するＦＧ信号発生手段と、
前記各トラックに対応した磁気テープの長手方向の位置に前記コントロール信号を記録又は再生する固定ヘッドと、
前記固定ヘッドで再生された微分コントロール信号を増幅するコントロール信号増幅手段と、
前記コントロール信号増幅手段で増幅された微分コントロール信号の１周期における正極性・負極性間と負極性・正極性間とを区別したＣＴＬ信号を生成する波形成形手段と、
前記波形成形手段から出力されたＣＴＬ信号と前記ＦＧ信号発生手段のＦＧ信号とから、前記微分コントロール信号の１周期における正極性・負極性間と負極性・正極性間のデューティ比を検出するＣＴＬ信号デューティ比判別手段と、
前記波形成形手段で得られたＣＴＬ信号の出力数を計数するＣＴＬ信号計数手段と、
前記ＣＴＬ信号デューティ比判別手段の出力と前記ＣＴＬ信号計数手段の出力とに基づいて、前記磁気テープに記録された映像信号の放送方式を判別する放送方式判別手段と、を具備することを特徴とする情報記録再生装置。
【請求項２】
前記磁気テープは、映像の基本単位毎である１フレーム又は１フィールド間に記録されている前記コントロール信号の数Ｎが５ｎ（ｎは自然数）又は６ｎであるとき、
前記放送方式判別手段は、
前記ＣＴＬ信号デューティ比判別手段の判別結果と、前記ＣＴＬ信号計数手段での計数値Ｎとに基づいて、１フレーム又は１フィールドの境界に記録されている所定のデューティ比を有するＣＴＬ信号がＮ＝５ｎ毎に入力されるか、又はＮ＝６ｎ毎に入力されるかを判別し、Ｎ＝５ｎであればＮＴＳＣ方式と判定し、Ｎ＝６ｎであればＰＡＬ方式と判定することを特徴とする請求項１記載の情報記録再生装置。
【発明の詳細な説明】
【０００１】
【発明の属する技術分野】
本発明は、映像信号を１フィールド又は１フレームの基本単位毎に圧縮し、その圧縮された映像データを、基本単位当たり複数本の磁気テープ上のトラックに記録し再生する情報記録再生装置に関するものである。
【０００２】
【従来の技術】
従来、一般的に使用されているヘリカルスキャン型の情報記録再生装置（以下、ＶＴＲと略称する）は、映像信号を入力し、回転シリンダに取り付けられた磁気ヘッドでヘリカルスキャン走査することにより磁気テープ上にそのデータを記録する。この場合、通常は１フィールドの映像信号を１本のトラックに記録するため、ＮＴＳＣ方式やＰＡＬ方式といった放送方式による垂直同期信号の周波数の違いに応じて、回転シリンダの回転数を変えて記録したり、磁気テープの移送速度を変えて記録している。また、同時に固定ヘッドにより磁気テープの長手方向に各トラックに対応してコントロール信号を記録している。
【０００３】
このようにして映像信号が記録された磁気テープに対して、如何なる放送方式で映像信号が記録されたのかを自動的に判別し、それぞれの放送方式に応じた再生信号処理を行うことができるようにしたＶＴＲが知られている。
【０００４】
再生時におけるテープ送りと回転シリンダの回転との位相関係を記録時の関係に合わせるためにコントロール信号が用いられる。このコントロール信号が固定ヘッドにより再生されたときに、コントロール信号の１周期内においてＦＧ信号発生回路（キャプスタンの回転数に比例したＦＧ信号を発生する回路）により発生されるＦＧ信号を計数する。このＦＧ信号の周波数は磁気テープの移送速度に比例している。この計測結果を所定値と比較することで、記録された番組の放送方式を特定（判別）することができる。
【０００５】
一方、ディジタルＶＴＲのような情報記録再生装置の場合は、入力された映像信号を１フィールド又は１フレームの基本単位毎に圧縮し、圧縮した映像データを信号変換して回転シリンダの磁気ヘッドに与え、基本単位当たり複数本のトラックに記録している。このとき、ＮＴＳＣ方式とＰＡＬ方式とで信号処理の違いを最小限にするため、基本単位当たりに記録するトラック数Ｎを、ＮＴＳＣ：ＰＡＬ＝５：６の比にする方法がある。この方法によれば、回転シリンダの回転数や磁気テープの移送速度をほぼ同じにすることができる。
【０００６】
例えば、ディジタルＶＴＲのように、放送方式の違いによる基本単位当たりのトラック数Ｎを変化させる方法では、圧縮された映像データの基本単位を１フレームとする場合、１フレーム当たりに用いるトラック数Ｎの比を、ＮＴＳＣ方式とＰＡＬ方式とで５ｎ：６ｎにする。この場合のフレーム信号、ヘッド切換信号（ＨＳＷ信号）、トラックトレースの関係をｎ＝２として図４に示す。図４（ａ）に示すＮＴＳＣ方式では、フレーム周期は３３．３６６ｍｓである。図４（ｂ）に示すＰＡＬ方式では、フレーム周期は４０．０００ｍｓである。
【０００７】
ＮＴＳＣ方式では、フレーム信号４１の１周期の間に回転シリンダに取り付けられた磁気ヘッドを用いて１０本のトラックに映像データを記録すると、磁気ヘッドを切り換えるＨＳＷ信号４２は３．３７ｍｓ毎にその極性が切り換えられることになる。ＰＡＬ方式では、フレーム信号４１の１周期の間に１２本のトラックに映像データを記録すると、ＨＳＷ信号４２は３．３３ｍｓ毎にその極性が切り換えられることになる。即ち、ＮＴＳＣ方式とＰＡＬ方式とで１フレーム当たりに記録するトラック数Ｎの比を５：６にすれば、回転シリンダの回転数及び磁気テープの移送速度の比は（１．０００：１．００１）となり、ほぼ同じになる。
【０００８】
【発明が解決しようとする課題】
このような情報記録再生装置においては、固定ヘッドにより磁気テープの長手方向にコントロール信号を記録していたとしても、コントロール信号が固定ヘッドにより再生されたときに、コントロール信号の１周期内においてＦＧ信号発生回路により出力されるＦＧ信号、即ちテープ速度に対応した周波数のパルスを計数しても、計数値が０．１％しか相違せず、回転シリンダの回転数や磁気テープの移送速度の放送方式に対する違いがほとんどなくなる。このため上記のような方法では、磁気テープに記録された映像信号の放送方式を特定することができないという問題点があった。
【０００９】
本発明は、記録時の回転シリンダの回転数や磁気テープの移送速度が固定のデジタルＶＴＲであっても、放送方式が異なる場合に記録された映像信号の放送方式を判別することのできる情報記録再生装置を実現することを目的とする。
【００１０】
【課題を解決するための手段】
本願の請求項１の発明は、映像の基本単位毎に放送方式に対応したトラック数Ｎを有し、トラック数Ｎ毎にデューティの異なるコントロール信号が記録された磁気テープから映像信号を再生したり、又は放送方式に対応して映像信号と前記コントロール信号とを前記磁気テープに記録する情報記録再生装置であって、前記磁気テープを長手方向に移送するキャプスタンと、前記キャプスタンの回転数に比例したＦＧ信号を出力するＦＧ信号発生手段と、前記各トラックに対応した磁気テープの長手方向の位置に前記コントロール信号を記録又は再生する固定ヘッドと、前記固定ヘッドで再生された微分コントロール信号を増幅するコントロール信号増幅手段と、前記コントロール信号増幅手段で増幅された微分コントロール信号の１周期における正極性・負極性間と負極性・正極性間とを区別したＣＴＬ信号を生成する波形成形手段と、前記波形成形手段から出力されたＣＴＬ信号と前記ＦＧ信号発生手段のＦＧ信号とから、前記微分コントロール信号の１周期における正極性・負極性間と負極性・正極性間のデューティ比を検出するＣＴＬ信号デューティ比判別手段と、前記波形成形手段で得られたＣＴＬ信号の出力数を計数するＣＴＬ信号計数手段と、前記ＣＴＬ信号デューティ比判別手段の出力と前記ＣＴＬ信号計数手段の出力とに基づいて、前記磁気テープに記録された映像信号の放送方式を判別する放送方式判別手段と、を具備することを特徴とするものである。
【００１１】
本願の請求項２の発明は、請求項１の情報記録再生装置において、前記磁気テープは、映像の基本単位毎である１フレーム又は１フィールド間に記録されている前記コントロール信号の数Ｎが５ｎ（ｎは自然数）又は６ｎであるとき、前記放送方式判別手段は、前記ＣＴＬ信号デューティ比判別手段の判別結果と、前記ＣＴＬ信号計数手段での計数値Ｎとに基づいて、１フレーム又は１フィールドの境界に記録されている所定のデューティ比を有するＣＴＬ信号がＮ＝５ｎ毎に入力されるか、又はＮ＝６ｎ毎に入力されるかを判別し、Ｎ＝５ｎであればＮＴＳＣ方式と判定し、Ｎ＝６ｎであればＰＡＬ方式と判定することを特徴とするものである。
【００１２】
【発明の実施の形態】
以下、本発明の実施の形態における情報記録再生装置について、図１〜図３を用いて説明する。図１は放送方式判別機能を有する情報記録再生装置の要部構成を示すブロック図である。図２は、放送方式に応じて磁気テープ上に記録されたコントロール信号のデューティ比と、１フレームのトラック数との関係を示す説明図であり、（ａ）がＮＴＳＣ方式の場合、（ｂ）がＰＡＬ方式の場合を示す。また図３は図１の情報記録再生装置の主要部の動作を示す波形図である。
【００１３】
図１において、磁気テープ１はキャプスタン２と図示しないピンチローラーに挟まれ、キャプスタン２の回転に応じて長手方向に走行する。このとき磁気テープ１上に記録されたコントロール信号が固定ヘッド３により再生される。コントロール信号増幅回路（ＣＴＬＡＭＰ）４は、再生した微分コントロール信号を増幅し、増幅した微分コントロール信号（以下、ＬＩＶＥ＿ＣＴＬ信号という）５を波形成形手段６に与える。
【００１４】
一方、図４に示すＨＳＷ信号４２と、固定ヘッド３から得られる微分コントロール信号とは互いに同期している。映像信号の記録時には、フレームの境界を除く各トラックに対するコントロール信号のデューティ比を１：１にする。即ちＨレベルの期間とＬレベルの期間とを等しくする。これに対してフレームの境界に位置するトラックに対しては、コントロール信号のデューティ比を、図３（ｂ）に示すようにＨ期間：Ｌ期間≠１：１に設定する。ここではＨ期間＞Ｌ期間とする。
【００１５】
映像信号の再生時に、このようなコントロール信号を固定ヘッド３で読み取り、コントロール信号増幅回路４で増幅すると、図２又は図３（ａ）に示すようなＬＩＶＥ＿ＣＴＬ信号が得られる。図１の波形成形手段６はＬＩＶＥ＿ＣＴＬ信号５が正極性のときにＨレベルに変化し、負極性のときにＬレベルに変化するように波形成形し、図３（ｂ）のように記録時と同様の波形を有するＣＴＬ信号を得る。図２に示すように、１フレームの境界以外のトラックの再生時には、デューティ比が１．０：１．０となる。また１フレームの境界部のトラックの再生時には、図３（ｂ）に示すようにデューティ比が例えば１．２：０．８となるＣＴＬ信号を得る。この間、キャプスタン２のＦＧ信号発生回路からは、図３（ｃ）に示すようなＦＧ信号（以下では、ＣＡＰ＿ＦＧ信号という）８が出力される。
【００１６】
波形成形手段６によって波形成形されたＣＴＬ信号７と、前述したＣＡＰ＿ＦＧ信号８とはＣＴＬ信号デューティ比判別手段９に入力される。ＣＴＬ信号デューティ比判別手段９は、加減算カウンタを有し、図３（ｄ）に示すように、時刻ｔ０のＣＴＬ信号７の立ち上がりエッジでカウント値をクリアし、ＣＴＬ信号７がＨレベルのときに入力されたＣＡＰ＿ＦＧ信号８のパルス数をカウントアップする。そして時刻ｔ１でＣＴＬ信号７がＬレベルに変化したときに、この時刻以降に入力されたＣＡＰ＿ＦＧ信号８のパルス数に応じてカウントダウンする。
【００１７】
ＣＴＬ信号７の１周期に発生するＣＡＰ＿ＦＧ信号８のパルス数をＴとし、図３（ｄ）の時刻ｔ２に示すように次のＣＴＬ信号７の立ち上がりエッジが来たときに加減算カウンタに残ったカウンタ値をｔとする。この場合ＣＴＬ信号デューティ比判別手段９は、ＣＴＬ信号７の正極性と負極性のデューティ比を（Ｔ＋ｔ：Ｔ−ｔ）で判別する。１フレームの境界以外のトラックの再生時にはデューティ比が１：１であるが、デューティ比が（Ｔ＋ｔ：Ｔ−ｔ）に変化するのを検出すると、ＣＴＬ信号デューティ比判別手段９は、現在走査したトラックが１フレームの始端トラック又は終端トラックと判定し、フレーム信号の極性をＬレベルからＨレベルに戻す。
【００１８】
ＣＴＬ信号計数手段１０は、ＣＴＬ信号デューティ比判別手段９から出力されるフレーム信号を用いて１フレーム内のＣＴＬ信号７の数をカウントする。そして  放送方式判別手段１１は、ＣＴＬ信号デューティ比判別手段９の判別結果と、ＣＴＬ信号計数手段１０で計数した結果Ｎとを入力し、図２に示すように１フレームの最後に記録されている所定のデューティ比（Ｔ＋ｔ：Ｔ−ｔ）を有するＣＴＬ信号がＮ＝５ｎパルス毎に入力されるか、又はＮ＝６ｎパルス毎に入力されるかを判別する。そしてＮ＝５ｎであればＮＴＳＣ方式と判定し、Ｎ＝６ｎであればＰＡＬ方式と判定する。
【００１９】
なお、以上の説明では、ＬＩＶＥ＿ＣＴＬ信号５の波形成形を正極性でＨ、負極性でＬになるように構成した例で説明したが、正極性でＬ、負極性でＨになるような構成についても同様に実施可能である。また圧縮の基本単位を１フレームで構成した例で説明したが、基本単位が１フィールドの場合についても同様に実施可能である。また、磁気テープ上に記録されたコントロール信号を再生する固定ヘッドに記録機能がある場合、この情報記録再生装置を用いてＮＴＳＣ方式又はＰＡＬ方式のいずれの映像信号も記録でき、また記録された磁気テープを自己再生したり、他の情報記録再生装置で再生することができる。
【００２０】
【発明の効果】
以上のように本願の請求項１の発明によれば、放送方式が異なる場合にも、記録時の回転シリンダの回転数やテープ送り速度がほぼ同じである情報記録再生装置を用いて番組を記録することができる。またこのようにして番組が記録された磁気テープに対して、如何なる放送方式で映像信号が記録されたのかを自動的に判別することができる。
【００２１】
また本願の請求項２記載の発明によれば、１種類の情報記録再生装置を用いてＮＴＳＣ方式又はＰＡＬ方式の放送番組をデジタル再生することができる。
【図面の簡単な説明】
【図１】本発明の実施の形態による情報記録再生装置の要部構成を示すブロック図である。
【図２】本実施の形態の情報記録再生装置において、各放送方式に対する磁気テープに記録されたトラックとコントロール信号のデューティ比の関係を示す説明図である。
【図３】本実施の形態の情報記録再生装置において、ＣＴＬ信号デューティ比判別手段の動作を示すタイミングチャートである。
【図４】ＮＴＳＣ方式とＰＡＬ方式における１フレームのトラック数の関係を示す説明図である。
【符号の説明】
１  磁気テープ
２  キャプスタン
３  固定ヘッド
４  コントロール信号増幅回路（ＣＴＬＡＭＰ）
５  ＬＩＶＥ＿ＣＴＬ信号
６  波形成形手段
７  ＣＴＬ信号
８  ＣＡＰ＿ＦＧ信号
９  ＣＴＬ信号デューティ比判別手段
１０  ＣＴＬ信号計数手段
１１  放送方式判別手段
【図１】
0003645458.tif 000002
【図２】
0003645458.tif 000003
【図３】
0003645458.tif 000004
【図４】
0003645458.tif 000005